(57)【要約】  ２つの側壁２とこれらの側壁の前面に固定されたパネル１とを備える引き出しにおいて、パネルはこの引き出しに対して少なくとも垂直な方向に調節でき、側壁の方向に延びると共に側壁を包囲するハウジング４を有する２つの固締プレート３が、側壁へ対向している内側でパネルへ取り付けられ、各ハウジングが、高さ調節用偏心部５とそこへ整合された絞付用偏心部６とを受け入れていることを特徴とする。絞付用偏心部は、側壁の区域においてスラストベアリング８の背面に係合する。スラストベアリング部分９は側壁の平面の外側へ弾性的に枢動でき、それにより絞付用偏心部がスラストベアリング部分９上を移動し、側壁の長手方向にハウジングを押すことでそれを撓ませ、また、スラストベアリング部分が跳ね返った後に、スラストベアリングの背面に係合する位置に置かれて、高さ調節用偏心部が側壁の前方凹所で静止する。【選択図】図１
2008528150.tif 000002
【特許請求の範囲】
【請求項１】
２つの側壁（２）と、これらの側壁（２）の前面に固定されたパネル（１）とを有する引き出しであって、前記パネルが当該引き出しに対して少なくとも垂直な方向に調節することができるようになっている、前記引き出しにおいて、
側壁（２）の方向に延びているととともに側壁（２）を横断状に包囲しているハウジング（４）を有する２つの固締プレート（３）が、側壁（２）へ対向している内側においてパネル（１）へ取り付けられ、それぞれのハウジングが、高さ調節用偏心部（５）とそこへ整合された絞付用偏心部（６）とを受け入れており、絞付用偏心部（６）が、それぞれの側壁（２）の区域においてスラストベアリング（８）の背面に係合しており、スラストベアリング部分（９）が、側壁（２）の平面の外側へ弾性的に枢動することができ、それによって、絞付用偏心部（６）が、スラストベアリング部分（９）の上を移動し、一方で、側壁（２）の長手方向にハウジング（４）を押すことによってそれを撓ませ、また、スラストベアリング部分（９）が跳ね返った後に、スラストベアリング（８）の背面に係合する位置に置かれ、その後、高さ調節用偏心部（５）が、側壁（２）の前方凹所に支持状態に静止することを特徴とする引き出し。
【請求項２】
絞付用偏心部（６）および／またはスラストベアリング部分（９）に、スラストベアリング部分（９）をそれらの始動位置の外側へ側方に撓ませることを容易にする接近用傾斜面（１６）が設けられていることを特徴とする、請求項１に記載の引き出し。
【請求項３】
スラストベアリング部分（９）が、開放状切欠（２２）によって形成されて側壁（２）に設けられた弓状ばね要素を備えていることを特徴とする、請求項１または２に記載の引き出し。
【請求項４】
側壁（２）が、弾性金属シートからなっていることを特徴とする、請求項３に記載の引き出し。
【請求項５】
側壁（２）が、弾性プラスチックプレートからなっていることを特徴とする、請求項３に記載の引き出し。
【請求項６】
スラストベアリング部分（９）とスラストベアリング（８）とを有する取付部品（１５）が、側壁（２）に係合していることを特徴とする、請求項１〜５のいずれか一項に記載の引き出し。
【請求項７】
取付部品（１５）が、プラスチックあるいは弾性シートメタルから製造されていることを特徴とする、請求項６に記載の引き出し。
【請求項８】
取付部品（１５）が、パネル（１）から離れて対向している少なくともそれらの後方端部区域において、側壁の平面に対して垂直に、側壁に固定されていることを特徴とする、請求項１〜７のいずれか一項に記載の引き出し。
【請求項９】
取付部品（１５）が、係合状態における側壁（２）の長手方向における移動に対して固定されていることを特徴とする、請求項１〜８のいずれか一項に記載の引き出し。
【請求項１０】
互いに押圧する絞付用偏心部（６）の締付面とスラストベアリング（８）の締付面とは、絞付用偏心部（６）の回転の軸に対してわずかに傾斜して延びていることを特徴とする、請求項１〜９のいずれか一項に記載の引き出し。
【請求項１１】
ハウジング（４）が、取り付け状態におけるスラストベアリング部分（９）の正反対の位置にある開口（１７）を有し、それによって、これらのスラストベアリング部分（９）が、あり得る取り外しの目的のために開口（１７）を通して案内された工具によって絞付用偏心部（６）から係合解除されることを特徴とする、請求項１〜１０のいずれか一項に記載の引き出し。
【請求項１２】
固締プレート（３）およびハウジング（４）が、リベット留め、溶接などによって互いに接続された複数の個別部品（３ａ，１１）を備えていることを特徴とする、請求項１〜１１のいずれか一項に記載の引き出し。
【請求項１３】
基部プレート（３）およびハウジング（４）が、例えば亜鉛ダイカスト部品あるいはプラスチック支持部品として一体片に実施されていることを特徴とする、請求項１〜１１のいずれか一項に記載の引き出し。
【請求項１４】
基部プレート（３）に固締ねじの調節可能な通過のための楕円穴（３ｃ）が設けられていることを特徴とする、請求項１〜１３のいずれか一項に記載の引き出し。
【請求項１５】
取付部品（１５）が、パネル（１）へ対向するその前方側部における突出状突片（１５ａ）によって画定された少なくとも１つのくぼみを有し、側部パネル（２）が、少なくとも締め付け状態に係合し、それによって、取付部品（１５）と側壁（２）と間にぴったり嵌合が形成されていることを特徴とする、請求項１〜１４のいずれか一項に記載の引き出し。
【請求項１６】
金属あるいはプラスチックのような弾性材料から製造されたプレートが、リベット留め、溶接などによって側壁（２）へ固締され、プレートが、それぞれがスラストベアリング部分（９）を有することを特徴とする、請求項３に記載の引き出し。
【発明の詳細な説明】
【技術分野】
【０００１】
本発明は、引き出しに関するものであって、２つの側壁と、これらの側壁の前面に取り付けられ、この引き出しに対して少なくとも垂直な方向に調節することのできるパネルとを有する引き出しに関するものである。
【背景技術】
【０００２】
上記の型の引き出しは、多くの実施態様において、とりわけ側壁の前面へのパネルの固締の構成とパネルを調節するための手段の構成とに関して、知られている。
【発明の開示】
【発明が解決しようとする課題】
【０００３】
本発明は、とりわけ簡単な構成によって区別される種類による型の引き出しであって、パネルを側壁の前面に固定しかつ調節するためのごく少数だけの個別部品を備える引き出しを提供するという目的に基づいている。
【課題を解決するための手段】
【０００４】
この目的は、側壁の方向に延びているととともに側壁を横断状に包囲しているハウジングを有する２つの固締プレートが、側壁へ対向している内側においてパネルへ取り付けられ、それぞれのハウジングが、高さ調節用偏心部とそこへ整合された絞付用偏心部とを受け入れており、絞付用偏心部が、それぞれの側壁の区域においてスラストベアリングの背面に係合しており、スラストベアリング部分が、側壁の平面の外側へ弾性的に枢動することができ、それによって、絞付用偏心部が、スラストベアリング部分の上を移動し、一方で、側壁の長手方向にハウジングを押すことによってスラストベアリング部分を撓ませ、また、スラストベアリング部分が跳ね返った後に、スラストベアリングの背面に係合する位置に置かれ、その後、高さ調節用偏心部が、側壁の前方凹所に支持状態に存在する点で、本発明によって達成される。
【０００５】
この型の構成は、比較的少数で簡単な個別部品を備えていて、高度の事前取り付けあるいは事前組み立てを保証して、このような引き出しの最終組み立て、とりわけここでのパネルの接続および調節が容易かつ迅速に達成される。
【０００６】
ハウジングを有する固締プレートは、次に高さ調節用偏心部と締付用偏心部とを受け入れるが、完全に事前取り付けすることができる。パネルを引き出しの側壁に接続するために、ハウジングを有するパネルは、側壁を覆って単に押されなければならず、その後、側壁の内側における固締区域に対してロックされる。こうして、パネルはまた、締付用偏心部を作動することがないときにも引き出しに対してすでに事前固定され、引き出しは、この状況において、パネルを紛失するおそれなく搬送することができる。
【０００７】
締付用偏心部がスラストベアリング部分の上へ移動することをいっそう容易にするために、締付用偏心部および／またはスラストベアリング部分には、スラストベアリング部分がそれらの基準位置の外へ側方に撓むのをいっそう容易にする接近用傾斜面が設けられている。
【０００８】
本発明のさらに別の特徴によれば、スラストベアリング部分は、開放状切欠によって形成されて側壁に設けられた可撓性ばね要素を備える。
【０００９】
スラストベアリング部分はこのように、もちろんコストの観点から特に有利である、側壁との一体片に製造されている。
【００１０】
しかしながら、スラストベアリング部分には、側壁に固定された取付部品が備わっていてもよい。
【００１１】
この型の取付部品は、その取付部品が側壁の対応凹所の中に係合するように実施されるのが好ましい。
【００１２】
スラストベアリング部分を形成するために別個の取付部品を使用すれば、これらの別個の取付部品は実際には側壁のために使用された材料とは独立して、また、側壁の特別な処理によることなく、締付用偏心部がこれらのスラストベアリング部分の上へ移動するのが比較的容易であるとともに締付用偏心部がさらにスラストベアリングの背面に確実に係合するように、構造的に成形することができる、という利点がもたらされる。
【００１３】
本発明のさらに別の特徴構成は、さらに別の従属請求項の主題である。
【００１４】
本発明の代表的実施態様は、添付図面に図示されており、以下において詳しく説明する。
【発明を実施するための最良の形態】
【００１５】
これらの図では、明瞭さの理由のために、その個々の部品のすべてを有する完全な引き出しが省略されているが、それは本発明が基本的には、引き出しの側壁の前面における引き出しのパネル１（図１５および図１６を参照）の固締および調節特性に関するものだからである。また、簡略化の理由のために、引き出しの側壁２のうち１つだけが示されている。
【００１６】
このパネル１を側壁２へ固締する目的のために、それぞれの側壁２における正反対の位置で、側壁２の方向へ延びるようにその上に配置されたハウジング４を有する固締プレート３がそれぞれのパネル１へ固締され、ハウジング４は、高さ調節用偏心部５と締付用偏心部６とを受け入れ、かつ、側壁２を横断状に包囲するために側壁２の上へ押し付けることができる。押し付け状態では、高さ調節用偏心部５は側壁２の前方凹所７の中に支持状態に静止し、また、締付用偏心部６は、図１０、図１１および図１６において模範的な目的のために示された側壁２の内側におけるスラストベアリング８の背面に係合している。
【００１７】
引き出しに対してパネル１の可能な垂直方向調節は高さ調節用偏心部５によって付加的に実施することができ、また、パネル１を締付用偏心部６とスラストベアリング８とによって側壁２の前面にしっかりと固定することができる。
【００１８】
すべての代表的実施態様によって、この基礎的構成原理が共有される。
【００１９】
すべての代表的実施態様によって、特定のスラストベアリング８を有するスラストベアリング部分９が側壁２の平面の外へ弾性的に枢動することができるということもまた共有される。ハウジング４が側壁２に押し付けられると、締付用偏心部６は、それが凹所１０の区域に静止するまでそれを横断状に撓ませることによってスラストベアリング部分９の上へ移動することができ、パネル１へ対向するその境界によって上記スラストベアリング８が形成される。この位置では、スラストベアリング部分９はその初期位置に跳ね返り、締付用偏心部６がスラストベアリング８の背面に係合する。
【００２０】
このことは、とりわけ図１５および図１６にきわめて明瞭に示されている。
【００２１】
締付用偏心部６が凹所１０の中へ押し付けられてスラストベアリング８の背面に係合するとすぐに、パネル１は初めに引き出しへ繋留状に接続される。締付用偏心部６を作動させることによって、パネル１は側壁２の前面にしっかりと固定することができる。
【００２２】
パネル１の高さ調節が必要であるときには、その高さ調節は、パネル１の最終固定の前に、高さ調節用偏心部５を作動させることによって行われる。
【００２３】
以下において、個々の代表的実施態様の特定の特徴を説明する。
【００２４】
図１には、側壁２の方向に延びている垂直脚部３ａを有する固締プレート３が示されており、脚部３ａは固締プレート３と一体片に製造されている。この脚部３ａによって、上記ハウジング４の第１半体が形成されている。別個に作られたプレート１１は、基部屈曲部１１ａを備えており、この屈曲部１１ａを利用して固締プレート３のスロット３ｂの中へ挿入するとともに、その後、脚部３ａに対して平行な位置に置くことができる。この位置では、プレート１１は、溶接、接着、圧接などのような恣意的な方法で固締プレート３へ接続される。このようにして、ハウジング４は脚部３ａとプレート１１とによって形成される。
【００２５】
高さ調節用偏心部５および締付用偏心部６は、この目的のために設けられた脚部３ａの穴１２および１３に、高さ調節用偏心部５および締付用偏心部６の両方が依然として回転可能であるようにしてそれぞれリベット留めされる。
【００２６】
図１にさらに示されるように、壁２の内側における前方凹所７は、取付部品１５が挿入されて係合される凹所１４の中へ開口している。弾性プラスチックから一体片に製造された取付部品１５は、上記スラストベアリング部分９を形成しているとともに、固締プレート３に画定された開口１０を有しており、従って、その側部が、締付用偏心部６のためのスラストベアリング８を形成している端部によってパネル１へ対向している。
【００２７】
固締プレート３および従ってパネル１へ対向しているその側部には、取付部品１５に樋状の接近用傾斜面１６が備わっており、それは図７に特に明瞭に示されている。図１５に示された取り付けの中間段階において、この接近用傾斜面１６は、これまた接近用傾斜面で実施されるのが好ましい締付用偏心部６の正反対の位置にある。取付部品１５における接近用傾斜面１６および締付用偏心部６における接近用傾斜面１６を通して、さらに別の移動を通して、スラストベアリング部分９はここでは、側壁２の平面の外側へ側方に弾性移動することができる。このような可能性によって、締付用偏心部６が取付部品１５の開口１０の区域へ到達するまで、締付用偏心部６をスラストベアリング部分９の上へ移動させることが起きる。これは、ここではその始動位置へ跳ね返り、締付用偏心部６が、図１６にきわめて明瞭に示されたように、スラストベアリング８の背面に係合する。
【００２８】
図１６に示された位置では、パネル１は初めに引き出しへ事実上繋留状に接続される。締付用偏心部６を作動させることで、それは、ここではスラストベアリング８へ押し付けられるようにされて、側壁２の前面におけるパネル１の固定締付が引き起こされる。
【００２９】
パネル１の高さ調節が必要であるときには、これは、締付用偏心部６が固定される前に行われる。
【００３０】
図１６には、スラストベアリング部分９の区域において脚部３ａに開口１７が設けられていることもまた、きわめて明瞭に示されている。この開口１７は、パネル１の取り外しが必要になればスラストベアリング部分９を締付用偏心部６の移動区域の外へ枢動させることができるようにするために、ねじ回しのような工具によって案内することができるようにする目的で利用される。
【００３１】
図１７および図１６でとりわけ明瞭に示されたように、取付部品には、その後方端部区域に、パネル１からそれて、側壁２の一方側部において取付部品１５の取り付け状態に支持されたばね薄板１８が備わり、また、ばね薄板１８の正反対の位置において、取付部品１５の接触区域１９が特定の側壁２の他方側部に支持されている。このようにして、取付部品１５は、側壁２に関連したその後方端部区域に固定されている。
【００３２】
加えて、固定用カム２０（図６を参照）が、取付部品１５の後方端部区域の中へ成形されていて、これは、取付部品１５が取り付けられたときに側壁２における凹所１４の区域の中へ突出する突片２１（図１ａを参照）の背面に係合する。
【００３３】
先に説明された方策によって、取付部品１５は、側壁２に横断状に、また側壁２の長手方向に、側壁に対して固定されている。
【００３４】
また、図１６に明瞭に示されたように、締付用偏心部６の締付面とスラストベアリング８の締付面とは、互いに作用し合って、締付用偏心部６の回転の軸に対してわずかに傾いて延びていて、締付用偏心部６とスラストベアリング８を有する受入部品１５とは、動荷重がかかるときであっても、互いから緩むおそれがない。
【００３５】
加えて、図１４における代わりの実施態様に示されたように、それとの関係で拡大された取付部品１５には、凹所７と側壁２の凹所１４との間における移行区域の中に突出状突片１５ａが設けられていてもよい。このようにして、側壁２のぴったり嵌合する重なりがこれらの段状移行区域においてもたらされ、少なくとも締付状態において、側壁２と取付部品１５との間にある種のぴったり嵌合部が生じるが、その理由は、移行区域が締付状態における突片１５ａによって画定された取付部品１５のくぼみの中に係合するからである。必要であれば、１つの移行区域の中にだけ、ぴったり嵌合部を作ることもまた充分である。
【００３６】
図２〜図５からわかることであるが、ハウジング４を有する固締プレート３は、例えば曲げ加工部品として実施されかつ固締プレート３と組み立てられた後にスポット溶接によって接続することのできる脚部３ａおよびプレート１１のような複数の個別部品から全体として製造することができる。
【００３７】
締付用偏心部６は、この事例ではプレート１１が固締プレート３へ接続される前に便宜的に取り付けられる。
【００３８】
しかしながら、これに代えて、図５に完全に示され、脚部３ａとプレート１１とから作られた固締プレート３とハウジング４とを備え、例えば金属あるいはプラスチックから射出成形部品として一体片に製造される取付ユニットについても考えることができる。
【００３９】
図１８、図１９および図２０のａ〜ｅには、取付部品１５が金属から作られた一体状型打ち曲げ部品とて製造された、本発明の代表的実施態様が示されている。
【００４０】
この型の金属から作られた取付部品は、適切なばねタブと他の支持部品とを、この取付部品が側壁２の凹所１４の中にクリップ留めすることができるように形成することで設計することもできる。
【００４１】
図２１には、締付用偏心部６のためのスラストベアリング８を有するスラストベアリング部分９が弓状ばね要素として設計されるようにして、開放状切欠２２の適切な位置決めによって側壁２を設計する可能性も存在する、ということが結論として示されている。図２１〜図２３に示された対象のこのような成果によって、付加的な取付部品１５の使用を省くことができる。
【００４２】
要するに、本発明の最大の利点は引き出しにパネル１を固締するとともに調節することが要求される多くの部品をかなりの程度、事前製造し、また、すでに事前取り付けすることができることにある、ということにもう一度、留意すべきである。事前取り付けユニットは、技術的にほとんど経験のないエンドユーザーであっても引き出しにパネル１を固定するとともに必要に応じてそれを調節することができるように、設けることができる。
【００４３】
どのような場合でも、固締プレート３には、固締ねじがパネル１における取り付けのために案内される楕円穴３ｃが常に設けられるが、その理由は、パネル１の水平調節がこれらの楕円穴３ｃによっても行うことができるからである。
【図面の簡単な説明】
【００４４】
【図１】引き出しの側壁にパネルを固定するための基本的構成要素の分解斜視図を示している。
【図１ａ】図１における矢印Ａの方向から見た詳細図を示している。
【図１ｂ】図１から拡大された、高さ調節用偏心部の斜視図を示している。
【図２】本発明のさらに別の代表的実施態様による、固締プレートを形成するとともに高さ調節用偏心部と締付用偏心部とを受け入れるためのハウジングの分解斜視図を示している。
【図３】第１取り付けステップの後における、図２に対応する分解斜視図を示している。
【図４】さらに別の取り付けステップの後における、図２および図３に対応する分解斜視図を示している。
【図５】図２に見ることのできる個々の部品から最終的に組み立てられたモジュールの斜視図を示している。
【図６】側壁に固定することができる、締付用偏心部を受け入れるための取付部品の斜視図を示している。
【図７】図６から９０度だけそれた位置にある、図６の取付部品のさらに別の斜視図を示している。
【図８】図６および図７に示されたように、側壁に配置された取付部品を有するがまだ最終的にそこへ接続されていない引き出しの側壁を通る部分断面図を示している。
【図９】側壁に最終的に固定された取付部品がある、図８に対応する部分断面図を示している。
【図１０】取付部品を有する側壁とハウジングを有する固締プレートとの、これら２つの構成要素が連結される前の分解斜視図を示している。
【図１１】図１０に見ることのできる構成要素の、連結の後の斜視図を示している。
【図１２】取付部品とモジュールとが、これら２つのモジュールが互いにくっつけられる前に、図５に示されたように備え付けられた側壁の断面図を示している。
【図１３】取付部品とモジュールとが、これら２つのモジュールが互いにくっつけられる前に、図５に示されたように備え付けられた側壁の断面図を示している。
【図１４】本発明のさらに別の代表的実施態様による、図１２の断面箇所のいくらか下方にある対応詳細図を示している。
【図１５】図１２および図１３から互いに部分的にくっつけられたモジュールの断面図を示している。
【図１６】上記モジュールの最終組み立て後の、図１５に対応する断面図を示している。
【図１７】ａ〜ｆは締付用偏心部の相異なる図および斜視図を示している。
【図１８】本発明のさらに別の代表的実施態様による、その上に取り付けられた取付部品を有する側部パネルの側面図を示している。
【図１９】方向付け目的のために省略して示された、高さ調節用偏心部と締付用偏心部との図１８におけるXIX−XIX線に沿う断面図を示している。
【図２０】ａ〜ｅは図１８および図１９に示された取付部品の相異なる図および斜視図を示している。
【図２１】本発明のさらに別の代表的実施態様による、側壁の中に一体片として一体化されたスラストベアリング部分を有する側壁の部分図を示しており、左側の図には締付用偏心部と高さ調節用偏心部との位置が示されておらず、右側の図にはこれらの位置が示されている。
【図２２】図２１の右側の図におけるXXII−XXII線に沿う断面図を示している。
【図２３】図２１の左側の図におけるXXIII−XXIII線に沿う断面図を示している。
【図１】
2008528150.tif 000003
【図１ａ】
2008528150.tif 000004
【図１ｂ】
2008528150.tif 000005
【図２】
2008528150.tif 000006
【図３】
2008528150.tif 000007
【図４】
2008528150.tif 000008
【図５】
2008528150.tif 000009
【図６】
2008528150.tif 000010
【図７】
2008528150.tif 000011
【図８】
2008528150.tif 000012
【図９】
2008528150.tif 000013
【図１０】
2008528150.tif 000014
【図１１】
2008528150.tif 000015
【図１２】
2008528150.tif 000016
【図１３】
2008528150.tif 000017
【図１４】
2008528150.tif 000018
【図１５】
2008528150.tif 000019
【図１６】
2008528150.tif 000020
【図１７】
2008528150.tif 000021
【図１８】
2008528150.tif 000022
【図１９】
2008528150.tif 000023
【図２０】
2008528150.tif 000024
【図２１】
2008528150.tif 000025
【図２２】
2008528150.tif 000026
【図２３】
2008528150.tif 000027
【国際調査報告】
2008528150.tif 000028
2008528150.tif 000029
2008528150.tif 000030
2008528150.tif 000031